(57)【特許請求の範囲】
【請求項１】
外殻を含み、前記外殻の上側にはモーターが設置され、前記モーターの下端にはモーター軸が伝動可能に連結され、前記外殻の中には作動空間が設置され、前記作動空間の上側内壁の中には取り付け孔が連通するように設置され、前記モーター軸の下端が前記取り付け孔を貫通して前記作動空間の中に延在して伝動装置と連結され、前記伝動装置の下側には従動傘歯車が回転可能に設置され、前記従動傘歯車の下方には清掃装置が設置され、前記伝動装置と前記清掃装置とが前記従動傘歯車により連結され、前記清掃装置はレールを清掃でき、前記清掃装置の後側には中間歯車が回転可能に設置され、前記中間歯車の後側には収集装置が設置され、前記収集装置は前記清掃装置に清掃される埃を収集できかつ枕木にある雑物を収集して圧縮処理をして埃が立つのを防ぎ、前記収集装置の後側には埃立ち防止装置が設置され、前記埃立ち防止装置は前記収集装置に収集される埃や雑物に水を吹き付けて埃が立つのを防ぎ、前記収集装置と前記清掃装置とが前記中間歯車により連結され、前記伝動装置が前記清掃装置、前記収集装置、及び前記埃立ち防止装置を駆動できることを特徴とするレール清掃装置。
【請求項２】
前記伝動装置は前記外殻の上側に固定的に設置された前記モーターを含み、前記モーターの下端には前記モーター軸が伝動可能に連結され、前記モーター軸の下端が前記取り付け孔を貫通して前記作動空間の中に延在し、前記モーター軸の下端には第一主動傘歯車が固定的に設置され、前記第一主動傘歯車の上側には第二主動傘歯車が回転可能に設置され、前記第二主動傘歯車の中には前記モーター軸が固定的に連結され、前記第二主動傘歯車の左端には第二従動傘歯車と噛み合うように連結され、前記第二従動傘歯車の中には従動軸が固定的に連結され、前記第二従動傘歯車の左側にはベルトプーリが回転可能に設置され、前記ベルトプーリの中には前記従動軸が固定的に連結され、前記従動軸が固定ロッドに回転可能に連結され、前記ベルトプーリの後側には伝送プーリが回転可能に設置され、前記伝送プーリと前記ベルトプーリとがベルトにより連結され、前記伝送プーリの中には伝送軸が固定的に連結され、前記伝送軸の両端がそれぞれ前記作動空間の左右両側の内壁に回転可能に連結され、前記伝送プーリの左側には半円状歯車が回転可能に設置され、前記半円状歯車の中には前記伝送軸が固定的に連結され、前記モーターを作動させ、前記モーター軸により前記第二主動傘歯車を駆動して回転させ、前記第二主動傘歯車が前記第二従動傘歯車を駆動して回転させ、前記第二従動傘歯車が前記従動軸により前記ベルトプーリを駆動して回転させ、前記ベルトにより前記伝送プーリを駆動して回転させ、前記伝送プーリが前記伝送軸により前記半円状歯車を駆動して回転させ、前記モーター軸が前記第一主動傘歯車を駆動して回転させ、前記第一主動傘歯車が前記清掃装置を駆動して回転させることを特徴とする請求項１に記載のレール清掃装置。
【請求項３】
前記清掃装置は前記作動空間の中に回転可能に設置された伝動軸を含み、前記伝動軸が第一平歯車に固定的に連結され、前記第一平歯車の左右両側にはそれぞれ対称の洗浄ローラーが設置され、前記洗浄ローラーがレールの上端を清掃でき、前記洗浄ローラーの左右両側にはそれぞれ対称の第二平歯車が設置され、前記第二平歯車の下端には第三平歯車が噛み合うように連結され、前記第三平歯車の中には清掃連結軸が固定的に連結され、前記清掃連結軸が清掃連結ロッドの中に回転可能に装着され、前記清掃連結ロッドの下端が前記作動空間の内壁に固定的に連結され、前記第三平歯車の間には二つの対称の清掃輪が回転可能に設置され、前記清掃輪が前記清掃連結ロッドに固定的に連結され、前記清掃輪の中には洗浄輪が回転可能に設置され、前記洗浄輪の中には伝導軸が固定的に連結され、前記洗浄輪の中には第四平歯車が回転可能に設置され、前記第四平歯車が前記伝導軸に固定的に連結され、前記第四平歯車が前記第一平歯車と噛み合い、前記従動傘歯車が前記伝動軸を駆動して回転させ、前記伝動軸が前記第二平歯車を駆動して回転させ、前記伝動軸が前記洗浄ローラーと前記第一平歯車とを駆動して回転させ、前記第二平歯車が前記第三平歯車を駆動して回転させ、前記第三平歯車が前記清掃連結軸により前記清掃輪を駆動して回転させ、前記第一平歯車が前記第四平歯車を駆動して回転させ、前記第四平歯車が前記伝導軸を駆動して回転させ、前記伝導軸が前記洗浄輪を駆動して回転させることを特徴とする請求項２に記載のレール清掃装置。
【請求項４】
前記収集装置は前記第四平歯車の後側に回転可能に設置された第五平歯車を含み、前記第五平歯車が前記中間歯車と噛み合い、前記第五平歯車の中には駆動軸が固定的に連結され、前記第五平歯車の左右両側にはいずれも二つの補助輪が回転可能に設置され、二つの前記補助輪の外側端には移動輪が回転可能に設置され、二つの前記移動輪の外側端には連結輪が設置され、前記連結輪の外側端には固定軸が回転可能に設置され、前記連結輪の外側には従動揺れロッドが設置され、前記従動揺れロッドの中には前記固定軸が固定的に連結され、前記連結輪の後側には従動連結輪が回転可能に設置され、前記従動連結輪の外側端には従動固定軸が回転可能に設置され、二つの前記従動固定軸が前記従動揺れロッドに固定的に連結され、二つの前記従動連結輪の中には従動移動輪が固定的に連結され、二つの前記従動連結輪の間にはローラーが回転可能に設置され、前記ローラーの中には前記従動移動輪が固定的に連結され、前記ローラーの後側には輸送台が設置され、前記輸送台の後端には処理ケースが固定的に連結され、前記処理ケースの中には処理空間が設置され、前記処理空間の前側には送り込み溝が形成され、前記処理空間の上側内壁の中には抜き孔が連通するように設置され、前記処理空間の中には押しハンマーがスライド可能に設置され、前記押しハンマーの上端には重力ロッドが固定的に連結され、前記重力ロッドの上端が前記抜き孔を貫通して前記作動空間の中に延在し、前記重力ロッドの左端が前記半円状歯車に噛み合い、前記第五平歯車が前記駆動軸により前記補助輪を駆動して回転させ、前記補助輪が前記移動輪により前記連結輪を駆動して回転させ、前記連結輪が前記従動揺れロッドにより前記従動連結輪を駆動して回転させることを特徴とする請求項３に記載のレール清掃装置。
【請求項５】
前記埃立ち防止装置は前記作動空間の中に回転可能に設置された揺れロッド輪を含み、前記揺れロッド輪の中には揺れロッドプーリが固定的に連結され、前記中間歯車の中には主動ベルト軸が固定的に連結され、前記主動ベルト軸と前記揺れロッドプーリとが連結ベルトにより連結され、前記揺れロッド輪の右側には揺れロッド回転軸が回転可能に設置され、前記揺れロッド回転軸の右側には連結揺れロッドが揺れることができるように設置され、前記連結揺れロッドの前端の中には前記揺れロッド回転軸が固定的に連結され、前記連結揺れロッドの後側には連結ブロックがスライド可能に設置され、前記連結ブロックの右側には連結回転軸が回転可能に設置され、前記連結揺れロッドの後端の中には前記連結回転軸が固定的に連結され、前記連結ブロックの後端にはスライドロッドが固定的に連結され、前記連結ブロックの後側には水槽が設置され、前記水槽の中には貯水溝が形成され、前記貯水溝の内壁の中には連通溝が貫通するように形成され、前記スライドロッドの後端が前記連通溝を貫通して前記水槽の後側に延在し、前記スライドロッドの後側には孔が設置され、前記貯水溝の内壁の中には下方に開口する伝導空間が連通するように設置され、前記伝導空間が前記処理空間と連通し、前記孔が前記伝導空間と連通し、前記スライドロッドの右側には前記重力ロッドがスライド可能に設置され、前記重力ロッドの下端が前記押しハンマーと固定的に連結され、前記押しハンマーが前記処理空間の中でスライドすることを特徴とする請求項４に記載のレール清掃装置。
【発明の詳細な説明】
【技術分野】
【０００１】
本願発明はレール清掃分野に関し、具体的にはレール清掃装置である。
【背景技術】
【０００２】
鉄道輸送は、運輸業と観光業において重要な役割を果たしている。レールは鉄道輸送に不可欠な要素の一つとして、一般的に路面に直接敷設される。長時間日や雨に晒されるため、レールには錆がつくことがよく発生し、また、埃や泥がレールに付きやすいことでレールを侵食して壊す。人でレールを清掃するのは時間がかかり、効率が低下し、コストが高い。
【先行技術文献】
【特許文献】
【０００３】
【特許文献１】中国特許出願公開第１０８７５５５６３号明細書
【発明の概要】
【発明が解決しようとする課題】
【０００４】
技術問題：
長時間日や雨に晒されるため、レールには錆がつくことがよく発生し、また、レール埃や泥がレールに付きやすく、人でレールを清掃するのに作業は時間がかかり、効率が低下する。
【課題を解決するための手段】
【０００５】
上記の問題を解決するため、本願発明はレール清掃装置を設計し、本願発明に記載のレール清掃装置は、外殻を含み、前記外殻の上側にはモーターが設置され、前記モーターの下端にはモーター軸が伝動可能に連結され、前記外殻の中には作動空間が設置され、前記作動空間の上側内壁の中には取り付け孔が連通するように設置され、前記モーター軸の下端が前記取り付け孔を貫通して前記作動空間の中に延在して伝動装置と連結され、前記伝動装置の下側には従動傘歯車が回転可能に設置され、前記従動傘歯車の下方には清掃装置が設置され、前記伝動装置と前記清掃装置とが前記従動傘歯車により連結され、前記清掃装置はレールを清掃でき、前記清掃装置の後側には中間歯車が回転可能に設置され、前記中間歯車の後側には収集装置が設置され、前記収集装置は前記清掃装置に清掃される埃を収集できかつ枕木にある雑物を収集して圧縮処理をして埃が立つのを防ぎ、前記収集装置の後側には埃立ち防止装置が設置され、前記埃立ち防止装置は前記収集装置に収集される埃や雑物に水を吹き付けて埃が立つのを防ぎ、前記収集装置と前記清掃装置とが前記中間歯車により連結され、前記伝動装置が前記清掃装置、前記収集装置、及び前記埃立ち防止装置を駆動できる。
【０００６】
前記伝動装置は前記外殻の上側に固定的に設置された前記モーターを含み、前記モーターの下端には前記モーター軸が伝動可能に連結され、前記モーター軸の下端が前記取り付け孔を貫通して前記作動空間の中に延在し、前記モーター軸の下端には第一主動傘歯車が固定的に設置され、前記第一主動傘歯車の上側には第二主動傘歯車が回転可能に設置され、前記第二主動傘歯車の中には前記モーター軸が固定的に連結され、前記第二主動傘歯車の左端には第二従動傘歯車と噛み合うように連結され、前記第二従動傘歯車の中には従動軸が固定的に連結され、前記第二従動傘歯車の左側にはベルトプーリが回転可能に設置され、前記ベルトプーリの中には前記従動軸が固定的に連結され、前記従動軸が固定ロッドに回転可能に連結され、前記ベルトプーリの後側には伝送プーリが回転可能に設置され、前記伝送プーリと前記ベルトプーリとがベルトにより連結され、前記伝送プーリの中には伝送軸が固定的に連結され、前記伝送軸の両端がそれぞれ前記作動空間の左右両側の内壁に回転可能に連結され、前記伝送プーリの左側には半円状歯車が回転可能に設置され、前記半円状歯車の中には前記伝送軸が固定的に連結され、前記モーターを作動させ、前記モーター軸により前記第二主動傘歯車を駆動して回転させ、前記第二主動傘歯車が前記第二従動傘歯車を駆動して回転させ、前記第二従動傘歯車が前記従動軸により前記ベルトプーリを駆動して回転させ、前記ベルトにより前記伝送プーリを駆動して回転させ、前記伝送プーリが前記伝送軸により前記半円状歯車を駆動して回転させ、前記モーター軸が前記第一主動傘歯車を駆動して回転させ、前記第一主動傘歯車が前記清掃装置を駆動して回転させる。
【０００７】
前記清掃装置は前記作動空間の中に回転可能に設置された伝動軸を含み、前記伝動軸が第一平歯車に固定的に連結され、前記第一平歯車の左右両側にはそれぞれ対称の洗浄ローラーが設置され、前記洗浄ローラーがレールの上端を清掃でき、前記洗浄ローラーの左右両側にはそれぞれ対称の第二平歯車が設置され、前記第二平歯車の下端には第三平歯車が噛み合うように連結され、前記第三平歯車の中には清掃連結軸が固定的に連結され、前記清掃連結軸が清掃連結ロッドの中に回転可能に装着され、前記清掃連結ロッドの下端が前記作動空間の内壁に固定的に連結され、前記第三平歯車の間には二つの対称の清掃輪が回転可能に設置され、前記清掃輪が前記清掃連結ロッドに固定的に連結され、前記清掃輪の中には洗浄輪が回転可能に設置され、前記洗浄輪の中には伝導軸が固定的に連結され、前記洗浄輪の中には第四平歯車が回転可能に設置され、前記第四平歯車が前記伝導軸に固定的に連結され、前記第四平歯車が前記第一平歯車と噛み合い、前記従動傘歯車が前記伝動軸を駆動して回転させ、前記伝動軸が前記第二平歯車を駆動して回転させ、前記伝動軸が前記洗浄ローラーと前記第一平歯車とを駆動して回転させ、前記第二平歯車が前記第三平歯車を駆動して回転させ、前記第三平歯車が前記清掃連結軸により前記清掃輪を駆動して回転させ、前記第一平歯車が前記第四平歯車を駆動して回転させ、前記第四平歯車が前記伝導軸を駆動して回転させ、前記伝導軸が前記洗浄輪を駆動して回転させる。
【０００８】
前記収集装置は前記第四平歯車の後側に回転可能に設置された第五平歯車を含み、前記第五平歯車が前記中間歯車と噛み合い、前記第五平歯車の中には駆動軸が固定的に連結され、前記第五平歯車の左右両側にはいずれも二つの補助輪が回転可能に設置され、二つの前記補助輪の外側端には移動輪が回転可能に設置され、二つの前記移動輪の外側端には連結輪が設置され、前記連結輪の外側端には固定軸が回転可能に設置され、前記連結輪の外側には従動揺れロッドが設置され、前記従動揺れロッドの中には前記固定軸が固定的に連結され、前記連結輪の後側には従動連結輪が回転可能に設置され、前記従動連結輪の外側端には従動固定軸が回転可能に設置され、二つの前記従動固定軸が前記従動揺れロッドに固定的に連結され、二つの前記従動連結輪の中には従動移動輪が固定的に連結され、二つの前記従動連結輪の間にはローラーが回転可能に設置され、前記ローラーの中には前記従動移動輪が固定的に連結され、前記ローラーの後側には輸送台が設置され、前記輸送台の後端には処理ケースが固定的に連結され、前記処理ケースの中には処理空間が設置され、前記処理空間の前側には送り込み溝が形成され、前記処理空間の上側内壁の中には抜き孔が連通するように設置され、前記処理空間の中には押しハンマーがスライド可能に設置され、前記押しハンマーの上端には重力ロッドが固定的に連結され、前記重力ロッドの上端が前記抜き孔を貫通して前記作動空間の中に延在し、前記重力ロッドの左端が前記半円状歯車に噛み合い、前記第五平歯車が前記駆動軸により前記補助輪を駆動して回転させ、前記補助輪が前記移動輪により前記連結輪を駆動して回転させ、前記連結輪が前記従動揺れロッドにより前記従動連結輪を駆動して回転させる。
【０００９】
前記埃立ち防止装置は前記作動空間の中に回転可能に設置された揺れロッド輪を含み、前記揺れロッド輪の中には揺れロッドプーリが固定的に連結され、前記中間歯車の中には主動ベルト軸が固定的に連結され、前記主動ベルト軸と前記揺れロッドプーリとが連結ベルトにより連結され、前記揺れロッド輪の右側には揺れロッド回転軸が回転可能に設置され、前記揺れロッド回転軸の右側には連結揺れロッドが揺れることができるように設置され、前記連結揺れロッドの前端の中には前記揺れロッド回転軸が固定的に連結され、前記連結揺れロッドの後側には連結ブロックがスライド可能に設置され、前記連結ブロックの右側には連結回転軸が回転可能に設置され、前記連結揺れロッドの後端の中には前記連結回転軸が固定的に連結され、前記連結ブロックの後端にはスライドロッドが固定的に連結され、前記連結ブロックの後側には水槽が設置され、前記水槽の中には貯水溝が形成され、前記貯水溝の内壁の中には連通溝が貫通するように形成され、前記スライドロッドの後端が前記連通溝を貫通して前記水槽の後側に延在し、前記スライドロッドの後側には孔が設置され、前記貯水溝の内壁の中には下方に開口する伝導空間が連通するように設置され、前記伝導空間が前記処理空間と連通し、前記孔が前記伝導空間と連通し、前記スライドロッドの右側には前記重力ロッドがスライド可能に設置され、前記重力ロッドの下端が前記押しハンマーと固定的に連結され、前記押しハンマーが前記処理空間の中でスライドする。
【発明の効果】
【００１０】
本願発明の有益な効果は：本願発明はレールの上端面と内外端面に清掃を行い、また枕木にある雑物を集めて圧縮し、埃が立つのを防ぎ、大いに人件費を下げ、清掃効率を向上させる。
【図面の簡単な説明】
【００１１】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明のレール清掃装置の全体構成概略図
【図２】図２は図１におけるＡ―Ａ方向からの構成概略図
【図３】図３は図１におけるＢ―Ｂ方向からの構成概略図
【図４】図４は図３におけるＣの拡大図
【図５】図５は図３におけるＤ―Ｄ方向からの構成概略図
【図６】図６は図３におけるＥ―Ｅ方向からの構成概略図
【発明を実施するための形態】
【００１３】
本願発明はレール清掃装置を関し、主にレールにある錆と埃、枕木にある雑物を清掃する作業に使用され、以下、本願発明図面を参照して本願発明にさらなる説明をする。
【００１４】
本願発明に記載のレール清掃装置は、外殻１１を含み、前記外殻１１の上側にはモーター２１が設置され、前記モーター２１の下端にはモーター軸２２が伝動可能に連結され、前記外殻１１の中には作動空間１２が設置され、前記作動空間１２の上側内壁の中には取り付け孔２３が連通するように設置され、前記モーター軸２２の下端が前記取り付け孔２３を貫通して前記作動空間１２の中に延在して伝動装置１０１と連結され、前記伝動装置１０１の下側には従動傘歯車２６が回転可能に設置され、前記従動傘歯車２６の下方には清掃装置１０２が設置され、前記伝動装置１０１と前記清掃装置１０２とが前記従動傘歯車２６により連結され、前記清掃装置１０２はレールを清掃でき、前記清掃装置１０２の後側には中間歯車５７が回転可能に設置され、前記中間歯車５７の後側には収集装置１０３が設置され、前記収集装置１０３は前記清掃装置１０２に清掃される埃を収集できかつ枕木にある雑物を収集して圧縮処理をして埃が立つのを防ぎ、前記収集装置１０３の後側には埃立ち防止装置１０４が設置され、前記埃立ち防止装置１０４は前記収集装置１０３に収集される埃や雑物に水を吹き付けて埃が立つのを防ぎ、前記収集装置１０３と前記清掃装置１０２とが前記中間歯車５７により連結され、前記伝動装置１０１が前記清掃装置１０２、前記収集装置１０３、及び前記埃立ち防止装置１０４を駆動できる。
【００１５】
実施例により、以下、伝動装置１０１について詳しく説明し、前記伝動装置１０１は前記外殻１１の上側に固定的に設置された前記モーター２１を含み、前記モーター２１の下端には前記モーター軸２２が伝動可能に連結され、前記モーター軸２２の下端が前記取り付け孔２３を貫通して前記作動空間１２の中に延在し、前記モーター軸２２の下端には第一主動傘歯車２５が固定的に設置され、前記第一主動傘歯車２５の上側には第二主動傘歯車２４が回転可能に設置され、前記第二主動傘歯車２４の中には前記モーター軸２２が固定的に連結され、前記第二主動傘歯車２４の左端には第二従動傘歯車２０と噛み合うように連結され、前記第二従動傘歯車２０の中には従動軸１６が固定的に連結され、前記第二従動傘歯車２０の左側にはベルトプーリ１８が回転可能に設置され、前記ベルトプーリ１８の中には前記従動軸１６が固定的に連結され、前記従動軸１６が固定ロッド１７に回転可能に連結され、前記ベルトプーリ１８の後側には伝送プーリ７１が回転可能に設置され、前記伝送プーリと前記ベルトプーリ１８とがベルト１９により連結され、前記伝送プーリ７１の中には伝送軸７０が固定的に連結され、前記伝送軸７０の両端がそれぞれ前記作動空間１２の左右両側の内壁に回転可能に連結され、前記伝送プーリ７１の左側には半円状歯車６９が回転可能に設置され、前記半円状歯車６９の中には前記伝送軸７０が固定的に連結され、前記モーター２１を作動させ、前記モーター軸２２により前記第二主動傘歯車２４を駆動して回転させ、前記第二主動傘歯車２４が前記第二従動傘歯車２０を駆動して回転させ、前記第二従動傘歯車２０が前記従動軸１６により前記ベルトプーリ１８を駆動して回転させ、前記ベルト１９により前記伝送プーリ７１を駆動して回転させ、前記伝送プーリ７１が前記伝送軸７０により前記半円状歯車６９を駆動して回転させ、前記モーター軸２２が前記第一主動傘歯車２５を駆動して回転させ、前記第一主動傘歯車２５が前記清掃装置１０２を駆動して回転させる。
【００１６】
実施例により、以下、清掃装置１０２について詳しく説明し、前記清掃装置１０２は前記作動空間１２の中に回転可能に設置された伝動軸１３を含み、前記伝動軸１３が第一平歯車２７に固定的に連結され、前記第一平歯車２７の左右両側にはそれぞれ対称の洗浄ローラー１５が設置され、前記洗浄ローラー１５がレールの上端を清掃でき、前記洗浄ローラー１５の左右両側にはそれぞれ対称の第二平歯車１４が設置され、前記第二平歯車１４の下端には第三平歯車３６が噛み合うように連結され、前記第三平歯車３６の中には清掃連結軸３４が固定的に連結され、前記清掃連結軸３４が清掃連結ロッド３５の中に回転可能に装着され、前記清掃連結ロッド３５の下端が前記作動空間１２の内壁に固定的に連結され、前記第三平歯車３６の間には二つの対称の清掃輪３３が回転可能に設置され、前記清掃輪３３が前記清掃連結ロッド３５に固定的に連結され、前記清掃輪３３の中には洗浄輪３２が回転可能に設置され、前記洗浄輪３２の中には伝導軸３１が固定的に連結され、前記洗浄輪３２の中には第四平歯車３０が回転可能に設置され、前記第四平歯車３０が前記伝導軸３１に固定的に連結され、前記第四平歯車３０が前記第一平歯車２７と噛み合い、前記従動傘歯車２６が前記伝動軸１３を駆動して回転させ、前記伝動軸１３が前記第二平歯車１４を駆動して回転させ、前記伝動軸１３が前記洗浄ローラー１５と前記第一平歯車２７とを駆動して回転させ、前記第二平歯車１４が前記第三平歯車３６を駆動して回転させ、前記第三平歯車３６が前記清掃連結軸３４により前記清掃輪３３を駆動して回転させ、前記第一平歯車２７が前記第四平歯車３０を駆動して回転させ、前記第四平歯車３０が前記伝導軸３１を駆動して回転させ、前記伝導軸３１が前記洗浄輪３２を駆動して回転させる。
【００１７】
実施例により、以下、収集装置１０３について詳しく説明し、前記収集装置１０３は前記第四平歯車３０の後側に回転可能に設置された第五平歯車８０を含み、前記第五平歯車８０が前記中間歯車５７と噛み合い、前記第五平歯車８０の中には駆動軸３７が固定的に連結され、前記第五平歯車８０の左右両側にはいずれも二つの補助輪３８が回転可能に設置され、二つの前記補助輪３８の外側端には移動輪３９が回転可能に設置され、二つの前記移動輪３９の外側端には連結輪４０が設置され、前記連結輪４０の外側端には固定軸５８が回転可能に設置され、前記連結輪４０の外側には従動揺れロッド５９が設置され、前記従動揺れロッド５９の中には前記固定軸５８が固定的に連結され、前記連結輪４０の後側には従動連結輪４７が回転可能に設置され、前記従動連結輪４７の外側端には従動固定軸６０が回転可能に設置され、二つの前記従動固定軸６０が前記従動揺れロッド５９に固定的に連結され、二つの前記従動連結輪４７の中には従動移動輪４３が固定的に連結され、二つの前記従動連結輪４７の間にはローラー４８が回転可能に設置され、前記ローラー４８の中には前記従動移動輪４３が固定的に連結され、前記ローラー４８の後側には輸送台４９が設置され、前記輸送台４９の後端には処理ケース５０が固定的に連結され、前記処理ケース５０の中には処理空間５１が設置され、前記処理空間５１の前側には送り込み溝５２が形成され、前記処理空間５１の上側内壁の中には抜き孔６４が連通するように設置され、前記処理空間５１の中には押しハンマー６２がスライド可能に設置され、前記押しハンマー６２の上端には重力ロッド６３が固定的に連結され、前記重力ロッド６３の上端が前記抜き孔６４を貫通して前記作動空間１２の中に延在し、前記重力ロッド６３の左端が前記半円状歯車６９に噛み合い、前記第五平歯車８０が前記駆動軸３７により前記補助輪３８を駆動して回転させ、前記補助輪３８が前記移動輪３９により前記連結輪４０を駆動して回転させ、前記連結輪４０が前記従動揺れロッド５９により前記従動連結輪４７を駆動して回転させる。
【００１８】
実施例により、以下、埃立ち防止装置１０４について詳しく説明し、前記埃立ち防止装置１０４は前記作動空間１２の中に回転可能に設置された揺れロッド輪４４を含み、前記揺れロッド輪４４の中には揺れロッドプーリ７６が固定的に連結され、前記中間歯車５７の中には主動ベルト軸５４が固定的に連結され、前記主動ベルト軸５４と前記揺れロッドプーリ７６とが連結ベルト７７により連結され、前記揺れロッド輪４４の右側には揺れロッド回転軸７５が回転可能に設置され、前記揺れロッド回転軸７５の右側には連結揺れロッド７４が揺れることができるように設置され、前記連結揺れロッド７４の前端の中には前記揺れロッド回転軸７５が固定的に連結され、前記連結揺れロッド７４の後側には連結ブロック７２がスライド可能に設置され、前記連結ブロック７２の右側には連結回転軸７３が回転可能に設置され、前記連結揺れロッド７４の後端の中には前記連結回転軸７３が固定的に連結され、前記連結ブロック７２の後端にはスライドロッド６５が固定的に連結され、前記連結ブロック７２の後側には水槽６７が設置され、前記水槽６７の中には貯水溝６８が形成され、前記貯水溝６８の内壁の中には連通溝７８が貫通するように形成され、前記スライドロッド６５の後端が前記連通溝７８を貫通して前記水槽６７の後側に延在し、前記スライドロッド６５の後側には孔６６が設置され、前記貯水溝６８の内壁の中には下方に開口する伝導空間６１が連通するように設置され、前記伝導空間６１が前記処理空間５１と連通し、前記孔６６が前記伝導空間６１と連通し、前記スライドロッド６５の右側には前記重力ロッド６３がスライド可能に設置され、前記重力ロッド６３の下端が前記押しハンマー６２と固定的に連結され、前記押しハンマー６２が前記処理空間５１の中でスライドする。
【００１９】
以下、図１〜６を参照して本願発明のレール清掃装置の使用手順について詳しく説明する。
【００２０】
はじめの時、孔６６が伝導空間６１と連通しなく、押しハンマー６２が処理空間５１内部の上側に位置し、連結揺れロッド７４が作動空間１２内部の前側に位置する。
【００２１】
使用の時、モーター２１を作動させ、モーター軸２２が第一主動傘歯車２５を駆動して回転させ、第一主動傘歯車２５が従動傘歯車２６により伝動軸１３を駆動して回転させ、伝動軸１３が第一平歯車２７を駆動して回転させ、伝動軸１３が洗浄ローラー１５を駆動して回転させ、洗浄ローラー１５がレールの上端面を清掃し、伝動軸１３が第二平歯車１４を駆動して回転させ、第二平歯車１４が第三平歯車３６により清掃連結軸３４を駆動して回転させ、清掃連結軸３４が清掃輪３３を駆動して回転させ、清掃輪３３がレールの外端面を清掃し、第一平歯車２７が第四平歯車３０により伝導軸３１を駆動して回転させ、伝導軸３１が洗浄輪３２を駆動して回転させ、洗浄輪３２がレールの内端面を清掃し、第四平歯車３０が中間歯車５７を駆動して回転させ、中間歯車５７が第五平歯車８０を駆動して回転させ、第五平歯車８０が駆動軸３７により補助輪３８を駆動して回転させ、補助輪３８が移動輪３９により連結輪４０を駆動して回転させ、連結輪４０が従動揺れロッド５９により従動連結輪４７を駆動して回転させ、従動連結輪４７が枕木にある雑物を収集して輸送台４９を介して処理空間５１の中に輸送し、モーター軸２２が第二傘歯車２４を駆動して回転させ、第二従動傘歯車２０が従動軸１６によりベルトプーリ１８を駆動して回転させ、ベルトプーリ１８がベルト１９を駆動して回転させ、ベルト１９が伝送プーリ７１を駆動して回転させ、伝送プーリ７１が伝送軸７０により半円状歯車６９を駆動して回転させ、半円状歯車６９が重力ロッド６３により押しハンマー６２を駆動して上下にスライドさせ、さらに輸送台４９に輸送された雑物を圧縮し、中間歯車５７が主動ベルト軸５４を駆動して回転させ、さらに連結ベルト７７により揺れロッドプーリ７６を駆動して回転させ、揺れロッドプーリ７６が揺れロッド輪４４を駆動して回転させ、揺れロッド輪４４が揺れロッド回転軸７５により連結揺れロッド７４を駆動して揺れさせ、連結揺れロッド７４が連結ブロック７２によりスライドロッド６５を駆動してスライドさせ、孔６６が伝導空間６１と連通でき、貯水溝６８内部の液体が孔６６を介して伝導空間６１の中に入り、さらに処理空間５１の中に噴出される。
【００２２】
本願発明の有益な効果は：本願発明はレールの上端面と内外端面に清掃を行い、また枕木にある雑物を集めて圧縮し、埃が立つのを防ぎ、大いに人件費を下げ、清掃効率を向上させる。
【００２３】
上記の方式によって、当業者は本発明の範囲内で作動モードに基づいて様々な変わりを行える。
【要約】      （修正有）【課題】レールの上端面と内外端面に清掃を行い、また枕木にある雑物を集めて圧縮し、埃が立つのを防ぎ、大いに人件費を下げ、清掃効率を向上させるレール清掃装置を提供する。【解決手段】外殻１１を含み、前記外殻１１の上側にはモーター２１が設置され、前記モーター２１の下端にはモーター軸２２が伝動可能に連結され、前記外殻１１の中には作動空間１２が設置され、前記作動空間１２の上側内壁の中には取り付け孔２３が連通するように設置され、前記モーター軸２２の下端が前記取り付け孔２３を貫通して前記作動空間１２の中に延在して伝動装置１０１と連結され、前記伝動装置１０１の下側には従動傘歯車２６が回転可能に設置され、レールの上端面と内外端面に清掃を行い、また枕木にある雑物を集めて圧縮し、埃が立つのを防ぎ、大いに人件費を下げ、清掃効率を向上させる。【選択図】図１【図１】
0006841994.tif 000002
【図２】
0006841994.tif 000003
【図３】
0006841994.tif 000004
【図４】
0006841994.tif 000005
【図５】
0006841994.tif 000006
【図６】
0006841994.tif 000007